(57)【特許請求の範囲】
【請求項１】
曝気攪拌機及び換気回路を備えた曝気槽を密閉し、曝気攪拌機の曝気運転による好気性処理と攪拌運転による嫌気性処理とを行うようにするとともに、前記曝気運転時にのみ換気用ファンを運転するようにした曝気槽の換気方法において、曝気槽内の換気を、曝気槽近傍に配設した流量調整槽内より給気し、他の槽内に排気するように換気回路を構成して行うようにしたことを特徴とする曝気槽の換気方法。
【発明の詳細な説明】
【０００１】
【発明の属する技術分野】
本発明は、曝気槽の換気方法に関し、特に、騒音を抑制し、換気用ファンの電気消費を低減することができるようにした曝気槽の換気方法に関するものである。
【０００２】
【従来の技術】
従来、下水処理場に流入する汚水等を曝気により処理するために曝気槽が用いられている。
【０００３】
ところで、近年、汚水中の有機性汚泥だけでなく、汚泥に含まれる窒素、リン等の除去を目的とした高度処理が要求されるようになり、この目的を達成するために、曝気運転のみでなく攪拌運転のみの運転、すなわち、嫌気運転が行われるようになっている。
【０００４】
このために用いられる曝気攪拌機として、本件出願人は、先に、図３〜図４に記載したような、１台の曝気攪拌機２０に水面上と水面下とに分離して曝気用羽根２３と攪拌用羽根２４とを備え、かつ曝気時と攪拌時とにおいて曝気攪拌機２０の運転方向を切り換え、曝気運転と攪拌運転とを選択的に行うようにした曝気攪拌機２０を提案している。
【０００５】
【発明が解決しようとする課題】
このような曝気攪拌機２０を用いた場合、曝気槽２の換気は、曝気時の騒音を低減する目的で、曝気槽２の上部に消音器１４を設けた吸気部と、換気用ファン１３及び消音器１２を設けた排気部とを設け、常時、換気用ファン１３を駆動して行うようにしているため、換気用ファン１３による消費電力が増し、このためランニングコストがかかるとともに、曝気槽２の上部にこれらの吸気部や排気部が突出して、曝気槽２の上部がすっきりしないという問題があった。
【０００６】
本発明は、上記従来の曝気槽の換気方法の有する問題点に鑑み、騒音を抑制し、換気用ファンの電気消費を低減できるようにした曝気槽の換気方法を提供することを目的とする。
【０００７】
【課題を解決するための手段】
上記目的を達成するため、本発明の曝気槽の換気方法は、曝気攪拌機及び換気回路を備えた曝気槽を密閉し、曝気攪拌機の曝気運転による好気性処理と攪拌運転による嫌気性処理とを行うようにするとともに、前記曝気運転時にのみ換気用ファンを運転するようにした曝気槽の換気方法において、曝気槽内の換気を、曝気槽近傍に配設した流量調整槽内より給気し、他の槽内に排気するように換気回路を構成して行うようにしたことを特徴とする。
【０００８】
この曝気槽の換気方法は、攪拌運転時は換気用ファンの運転を停止し、曝気時のみ換気用ファンを運転するようにしているため、換気用ファンの電気消費量を低減することができ、特に、初期の汚水流入量が少ない時においては曝気運転が少ないため、その効果が大きい。
そして、曝気槽に近接する流量調整槽、汚泥計量ピット、沈殿槽等の槽に曝気槽からの配管を利用し、槽の内部に吸気や排気口を設けるようにすることにより、騒音が低減するとともに、この部分にファンも設置することにより、曝気槽上部に部品を設置することがないので、曝気槽上部の構造をすっきりさせることができる。
【０００９】
【発明の実施の形態】
以下、本発明の曝気槽の換気方法の実施の形態を図面に基づいて説明する。
【００１０】
図１〜図２に本発明の曝気槽の換気方法を実施する曝気槽の一例を示す。
一般に、下水処理場に流入する汚水を生物処理する場合、下水処理場に流入する汚水を、まず流量調整槽１に導き、次に、流量調整槽１より曝気槽２へ導入し、ここで所要の曝気による好気性処理と攪拌による嫌気性処理とを選択的に行って、汚水中の有機物、特に窒素分とリンを除去し、次にこの生物処理後の汚泥混合液を沈殿槽３へ導き、ここで混合液中の固体分と液体分とを重力分離の作用により、固体分としての汚泥と液体分としての処理水とを分離した後、汚泥分は汚泥濃縮槽４及び汚泥貯留槽５へ導き、また処理水は消毒槽６へ導き、それぞれその後の処理を行うようにしている。
そして、これらの処理を連続的に効率よく行うため、これらの流量調整槽１、曝気槽２、沈殿槽３、汚泥濃縮槽４、汚泥貯留槽５、消毒槽６、汚泥計量槽７等の各処理槽は、特に限定されるものではないが、例えば、図１に示すように、近接して配備されている。
【００１１】
また、曝気槽２は、臭気等が四方に飛散されないようにするため、曝気槽２の上部を平坦な上蓋２Ｃにて密閉するとともに、曝気槽２内のほぼ中央部の水面位置に曝気攪拌機２０を配設する。
【００１２】
この曝気攪拌機２０は、水面上に配置された可逆回転可能なモータ２１の攪拌軸２２に、水面より上方位置になるように配設した曝気用羽根２３と、常に水面より下方となる位置に配設した攪拌用羽根２４とを備えて構成する。
これにより、モータ２１を正回転させることにより曝気用羽根２３にて曝気槽２内に流入する汚水を水面位置で噴水のように、シャワー状に噴射して曝気し、また逆回転させることにより常に水中にある攪拌用羽根２４によって曝気槽２内の汚水を攪拌するようにする。
【００１３】
また、曝気槽２は、流量調整槽１より汚水を流入するようにし、かつ換気を行えるよう構成するが、上蓋２Ｃにより密閉されている。
この換気は大気から或いは大気と同じように酸素が豊富に存在する槽、特に限定されるものではないが、例えば、流量調整槽１内に吸気口１０ａが開口し、かつ隣接する両槽の壁体間を貫通するように配設した吸気管１０にて流量調整槽１内より吸気し、この吸気口１０ａより最も遠い位置に排気口１１ａを配設するようにした排気管１１を経て隣接する槽、例えば、汚泥計量槽７内へ排気するようにして行う。この排気管１１も曝気槽２内で上蓋２Ｃの下面に沿って配管する。
【００１４】
なお、この場合、換気を強制的に行えるよう排気用ファン１３を排気管１１の端部に接続し、かつ汚泥計量槽７内に配設するようにし、この排気用ファン１３の排気口側に消音器１４を配設するとともに、吸気管１０の先端或いは吸気口１０ａには消音器１２を設けて、流量調整槽１から吸気する際、排気管１１、曝気槽２内を経て排気用ファン１３の騒音が外部に漏れないようして騒音を低減するようにする。このように、吸気口１０ａより最も遠い位置に排気口１１ａを配設することにより、曝気槽２内の換気が充分に行えるようにする。
【００１５】
次に、本発明の曝気槽の換気方法について説明する。
曝気槽２の中央部に配置された曝気攪拌機２０を正回転駆動させると、曝気攪拌機２０には曝気用羽根２３と攪拌用羽根２４とが備わっているため、この曝気運転時には曝気用羽根２３にて噴水のように水面上に汚水を散水することにより曝気が行われる。このとき、曝気槽２内部の酸素を水中に溶かすので、曝気槽２内部の空気の酸素濃度が低くなる。
このため、新しい空気が必要となり、換気用ファン１３にて酸素が豊富な空気を、例えば、流量調整槽１から吸い込む。
なお、流量調整槽１の空気の酸素が少ない場合には、別のところに吸気口を設けて、酸素の豊富な空気を吸い込むようにする。
【００１６】
また、この曝気攪拌機２０には、水中に攪拌用羽根２４を設けているので、曝気時とは逆回転運転することにより、この攪拌用羽根２４で曝気槽２内の汚水を攪拌するようになる。この時、上部にある曝気用羽根２３は空中で回転し、曝気は行われない。
汚水が最大に流入した場合で、１日の半分が曝気運転であり、通常は、攪拌運転が大半を占める、そのため、換気用ファン１３を常に運転していると、換気用ファン１３の運転が無駄となり、電気消費量が嵩むだけとなる。
しかし、本発明においては、電気回路により、曝気攪拌機が曝気運転している場合のみ換気用ファン１３が運転されるように配線されているので、電気消費量を必要最小限にすることができる。
【００１７】
また、図１〜図２に記載されているように、曝気槽２内部に吸気、排気口を設け消音装置その他の付帯設備も近くの流量調整槽１や汚泥計量ピット等に設けているため、曝気槽２の上部に給排気用の配管や換気用ファンを設ける必要がなく、曝気槽２の外部をすっきりさせることができる。
【００１８】
以上、本発明の曝気槽の換気方法について、その実施例に基づいて説明したが、本発明は上記実施例に記載した構成に限定されるものではなく、その趣旨を逸脱しない範囲において適宜その構成を変更することができるものである。
【００１９】
【発明の効果】
本発明の曝気槽の換気方法によれば、攪拌運転時は換気用ファンの運転を停止し、曝気時のみ該換気用ファンを運転するようにしているため、換気用ファンの電気消費量を低減することができ、特に、初期の汚水流入量が少ない時においては曝気運転が少ないため、その効果が大きい。
そして、曝気槽に近接する流量調整槽、汚泥計量ピット、沈殿槽等の槽に曝気槽からの配管を利用し、槽の内部に吸気や排気口を設けるようにすることにより、騒音が低減するとともに、この部分にファンも設置することにより、曝気槽上部に部品を設置することがないので、曝気槽上部の構造をすっきりさせることができる。
【図面の簡単な説明】
【図１】  本発明の曝気槽の換気方法を実施する曝気槽の一例を示す平面図である。
【図２】  同曝気槽の縦断面図である。
【図３】  従来の曝気槽を示す平面図である。
【図４】  同曝気槽の縦断面図である。
【符号の説明】
１    流量調整槽
２    曝気槽
３    沈殿槽
４    汚泥濃縮槽
５    汚泥貯留槽
６    消毒槽
７    汚泥計量槽
２０  曝気攪拌機
２１  可逆回転可能なモータ
２２  攪拌軸
２３  曝気用羽根
２４  攪拌用羽根
１０  吸気管
１０ａ  吸気口
１１  排気管
１１ａ  排気口
１２  消音器
１３  換気用ファン
１４  消音器
【図１】
0003862072.tif 000002
【図２】
0003862072.tif 000003
【図３】
0003862072.tif 000004
【図４】
0003862072.tif 000005